(57)【要約】【課題】巻上機を設置したガイドレールおよびシーブを備えた空間効率の良いエレベータシステムを提供する。【解決手段】エレベータシステムは、巻上機１６を設置したガイドレールと、昇降路内のガイドレール３８を受けるシーブアッセンブリ３２と、を備える。本発明のシーブアッセンブリは、共通軸を中心に回転する個々のシーブ部５４を備える。少なくとも２個のシーブ部は、シャフト５０に沿って隙間を有する。ガイドレールの一部分は、シーブ部の外径に対し接線を形成する平面を超えて、軸側に延びている。ガイドレール３８は、ガイド部６６と、つり合いおもりブラケット５６に取りつけられた取付部６４と、を備える。シーブアッセンブリ３２のシーブ部５４の間に各ガイドレール３８のガイド部６６を延在させることにより、エレベータシステム１０の構成部品用の空間が減少して昇降路１４内の利用空間を節約することができる。【選択図】図３
2010137995.tif 000002
【特許請求の範囲】
【請求項１】
機械室レス型のエレベータシステムであって、
かご（１２）と、
上記かご（１２）に設置され、かつ軸方向に間隔を隔てた所定の形状を有する少なくとも２個のベルト係合シーブ部（５４）を有する少なくとも１つのシーブアッセンブリ（３２）と、
上記少なくとも１つのシーブアッセンブリ（３２）を通る少なくとも２つのベルト（３６）と、
昇降路（１４）内に配設され、かつ上記かご（１２）を案内する少なくとも１本のレール（３８）と、
を備え、
前記レール（３８）が、取付部（６４）と、ガイド部（６６）と、を有し、該ガイド部だけが上記シーブ部（５４）間に延びていることを特徴とする機械室レス型エレベータシステム。
【請求項２】
各シーブ部（５４）が、上記シーブアッセンブリの回転軸から第１の距離だけ離れた外径表面を含み、上記シーブ部間の隙間に延びる上記レールのガイド部が、上記回転軸から第２の距離だけ離れており、該第２の距離が上記第１の距離よりも短いことを特徴とする請求項１に記載のエレベータシステム。
【請求項３】
上記かごの反対側に設置された少なくとも１つの上記シーブアッセンブリ（３２）をさらに含む請求項１〜２のいずれかに記載のエレベータシステム。
【請求項４】
上記隙間（６２）の両側に設置された複数のシーブ部（５４）と、対応する複数の耐荷重ベルト（３６）と、を含む請求項１〜３のいずれかに記載のエレベータシステム。
【請求項５】
上記軸を中心に回転するように上記シーブ部（５４）を支持するシャフト（５０，５１，５３）を含む請求項１〜４のいずれかに記載のエレベータシステム。
【請求項６】
上記シーブ部（５４）を支持する共通のシャフト（５０）を含む請求項５に記載のエレベータシステム。
【請求項７】
上記シーブ部（５４）を支持する別々のシャフト（５１，５３）を含む請求項５に記載のエレベータシステム。
【請求項８】
上記シーブ部（５４）が、上記隙間（６２）の両側に個別の部材をそれぞれ含むことを特徴とする請求項１〜７のいずれかに記載のエレベータシステム。
【請求項９】
上記レール（３８）のガイド部の両側に設置された複数の個別の部材を含む請求項８に記載のエレベータシステム。
【請求項１０】
昇降路（１４）は上記かご（１２）の対向する側に設置された第１のレールおよび第２のレール（３８）を含み、
第１のシーブアッセンブリ（３２）が、上記かご（１２）の一方の側に設置され、
第２のシーブアッセンブリ（３２）が、上記かご（１２）の他方の側に設置されることを特徴とする請求項１に記載のエレベータシステム。
【請求項１１】
上記レール（３８，４０）に取りつけられた巻上機（１６）を含む請求項１０に記載のエレベータシステム。
【請求項１２】
共通の軸を中心に回転する少なくとも２個のシーブ部を有するとともに、シーブ部間に隙間を備えたシーブアッセンブリ（３４）を備えるつり合いおもり（２２）を含む請求項１０に記載のエレベータシステム。
【請求項１３】
上記つり合いおもり（２２）の上記２個のシーブ部を支持する共通のシャフトを含む請求項１２に記載のエレベータシステム。
【請求項１４】
上記つり合いおもり（２２）の上記シーブ部を支持する別々のシャフトを含む請求項１２に記載のエレベータシステム。
【請求項１５】
上記かご用のレール（３８）および上記つり合いおもり用のレール（４０）の少なくとも一方を支持する複合型ブラケットを含む請求項１２に記載のエレベータシステム。
【請求項１６】
上記シーブアッセンブリ（３２）が、上記かご（１２）の下端部に取り付けられることを特徴とする請求項１〜１５のいずかに記載のエレベータシステム。
【請求項１７】
上記シーブアッセンブリ（３２）が、上記かご（１２）の上端部に取り付けられることを特徴とする請求項１〜１５のいずかに記載のエレベータシステム。
【発明の詳細な説明】
【技術分野】
【０００１】
本発明は、エレベータシステムに関し、特に、巻上機を設置したガイドレール、および該ガイドレールを受けるシーブ設計を備える空間効率の良いエレベータシステムに関する。
【背景技術】
【０００２】
エレベータシステムは、昇降路内を移動するかごと、つり合いおもりと、を一般的に備える。ローピングは、かごとつり合いおもりを連結し、それらが移動する際に支持する。モータはロープを動かし、かごを上下移動させる。通常、かごは、ガイドレールと協働して昇降路内でかごを案内するローラアッセンブリを備える。従来、モータは、昇降路の最上部に位置する機械室内に設置されていた。
【０００３】
かごに設置されるアイドラシーブは、例えば、つり合いおもりとともにかごを上下させるローピングシステムの一部を形成する。ローピングは、かごおよびつり合いおもりなどシステム内の様々な場所にあるアイドラシーブを通る。アイドラシーブは、必然的に昇降路内の場所を取り、ガイドレールは、昇降路壁の内面からかごに向かって延びる。種々の巻上機取りつけ方法が提案されてきたが、建築法および安全規定により、高価な装置および制御が要求される場合がある。
【０００４】
最近、機械室のないエレベータシステムが開発され、独立した機械室を設ける必要はなくなった。機械室のないエレベータシステムは、より単純で、エレベータシステムのより有効的な空間利用を求める消費者の要求に応じて開発された。そのようなシステムを持ってしても、なおエレベータシステムに占用される空間を減少させる必要がある。
【発明の概要】
【発明が解決しようとする課題】
【０００５】
昇降路の空間を減少するためのシステム費用を最小限にするとともに、昇降路内にエレベータ用かごを容易に設置できることが望ましい。さらに、建物は、通常、エレベータシステム用の特別収容設備を備えるように設計されていない。
【０００６】
これらの理由から、昇降路の空間を効果的に利用するように適応されたエレベータシステムを設計することが望ましい。本発明は、これらの必要性に対処するものである。
【課題を解決するための手段】
【０００７】
概括的に言えば、本発明は、独自のシーブ配置を有するエレベータシステムに関する。
上記シーブ配置は、ガイドレールの一部分を収容し、昇降路内の空間をあまり必要とせず、システムの構成部品のより多様な配置を可能にする。
【０００８】
本発明によって設計されるエレベータシステムは、かごと、昇降路内を移動する際にかごを案内する少なくとも１本のガイドレールと、を備える。かごに設置されたシーブアッセンブリには、少なくとも２つのシーブ部が含まれ、このシーブ部は、互いの間に隙間を備え、共通の軸を中心に回転する。シーブ部は、共通軸を中心に配置された共通シャフトの周囲あるいは分割したシャフトの周囲に設置される。少なくともレールの一部分がシーブ部間の隙間に入るように、レールはシーブ部間の隙間に延びている。
【０００９】
したがって、本発明であるシステムの構成部品の配置により、より効率的な空間利用を実現するエレベータシステムが提供される。
【図面の簡単な説明】
【００１０】
【図１】本発明に基づいて設計されたエレベータシステムの概略図。
【図２】ガイドローラおよびアイドラシーブアッセンブリを備えるエレベータ用かごの側面図。
【図３】エレベータ用かごおよびつり合いおもりの上面図。
【図４】本発明の他の実施例の上面図。
【図５】エレベータ用かごのアイドラシーブアッセンブリおよびつり合いおもりの拡大図。
【図６】エレベータ用かごのローラアッセンブリおよびつり合いおもりのシーブアッセンブリの拡大図。
【図７】アイドラシーブアッセンブリの別実施例の拡大図。
【発明を実施するための形態】
【００１１】
図１，２を参照すると、本発明の実施例において、昇降路１４内を移動するように支持されたエレベータ用かご１２を備えたエレベータシステム１０が図示されている。昇降路１４の内面２４に位置するとともに、つり合いおもり用ブラケット５６に取りつけられたガイドレール３８を、昇降路１４は備える。つり合いおもり用ブラケット５６は、反対側の内面２６に取りつけられる。ガイドレール３８は、昇降路１４内のエレベータ用かごの移動を案内する。つり合いおもり用ブラケット５６によって、昇降路１４の全長に亘り延びているつり合いおもり２２の移動のための空間が構成される。
【００１２】
周知のようにエレベータ用かご１２が移動すると、つり合いおもり２２も移動する。つり合いおもり２２は、昇降路内に設置されたガイドレール４０により案内される（図３参照）。エレベータ用かご１２ならびにつり合いおもり２２は、エレベータ用かご１２を上下させるためにローピング３６および巻上機１６と協働するシーブアッセンブリ３２，３４を備える。図示された実施例においては、シーブアッセンブリ３２は、エレベータ用かご１２のベース部４８に設置されている。しかし、必要に応じて、エレベータ用かご１２の別の箇所あるいはシステム１０の他の場所に、当業者に周知のように、シーブアッセンブリ３２を取りつけ可能であるということは、本発明の意図する範囲内にある。エレベータ用かご１２はまた、エレベータ用かご１２の上端部および下端部に設置されたローラアッセンブリ２８，３０を備え、このローラアッセンブリは、エレベータ用かごの適切な配置を維持するガイドレール３８に沿って移動する。
【００１３】
例示的なエレベータシステム１０の巻上機１６は、ガイドレール３８，４０の少なくとも１つの上端部に設置され、支持されている。ガイドレール３８，４０の上端部で巻上機１６を支持することにより、従来のエレベータシステムに用いられている独立して設置した機械室の必要性がなくなる。機械室のないエレベータシステム１０は、昇降路１４の空間を有効的に利用して、独立した機械室が必要でないように設計される。巻上機１６を支持するためガイドレールを使用することにより、いくつかの構成部品を最小限にすることができるさらなる利点が提供される。
【００１４】
エレベータシステム１０により、昇降路１４内の空間が最大限に利用される。本発明の方法により、ガイドレール３８をエレベータ用かご１２にできる限り接近させ設置することが可能となる。シーブアッセンブリ３２は、所定形状のベルト係合部５４の間に隙間６２を備え、そのためガイドレール３８がエレベータ用かご１２により接近することが可能となる。
【００１５】
シーブアッセンブリ３２は、エレベータ用かご１２のベース部４８に設置されている。少なくとも２本のベルト３６が、エレベータ用かご１２のそれぞれの側に設置されたアイドラシーブアッセンブリを通っており、このベルトの一方の端部は、ガイドレール３８の一方の上端部に取りつけられた終端ヒッチ１８に固定される。各ベルト３６のもう一方の端部は、巻上機１６およびつり合いおもり２２用アイドラシーブアッセンブリ３４を通った後、巻上機１６を備えたガイドレール３８の上端部に取りつけられた終端ヒッチ２０に固定される。１つの形式のローピングの形態に限定して図示したが、エレベータ用かご１２を上下させる昇降路のローピングの別形態が本発明の意図する範囲内にあるということを理解されたい。
【００１６】
図３を参照すると、各ガイドレール３８は、内面２４またはつり合いおもりブラケット５６に取りつけられた取付部６４を備える。ガイド部６６は、レール取付部６４から延びている。ガイド部６６は、周知のようにローラアッセンブリ２８，３０と協働する。ガイドレール３８のガイド部６６が、シーブアッセンブリ３２のシーブ部５４上のベルト係合面を超えて、かご１２側に延びることが可能となるため、昇降路１４内の空間が節約される。シーブアッセンブリ３２のシーブ部５４の間に各ガイドレール３８のガイド部６６を延ばすことにより、エレベータシステム１０の構成部品用の空間が減少し、昇降路１４内の空間が節約される。
【００１７】
例示的なシーブアッセンブリ３２は、共通シャフト５０の周囲に支持された４個の個別のシーブ部５４を備える。隙間６２により、シーブ部５４は、２個のアイドラシーブ部５４からなる２つの群に分けられる。各アイドラシーブ部５４は、外径７４を備える（図４）。各ガイドレール３８のガイド部６６のいくつかは、シーブ部５４の外径７４の接線である平面７２と、シャフト５０との間の隙間６２に延びている。隙間６２は、シーブ部の外径７４より小さい外側の寸法を有する。図示された実施例では、シャフト５０の外側寸法により、より小さい外側寸法が画定される。
【００１８】
図４を参照すると、本発明の別の実施例において、回転できるようにシーブ部５４を支持するために、共通軸５８を中心として分割したシャフト５１，５３が支持される。この実施例では、図３の共通軸５０を備える実施例と比べ、より小さい外側寸法はさらに減少している。
【００１９】
図５を参照すると、シャフト５０は、エレベータ用かご１２に取りつけられた支持部材５２により支持される。各シーブ部５４は、外径７４を備える。外径７４は、回転軸５８から第１の距離の間隔を有する。ガイドレール３８のガイド部６６は、回転軸から第２の距離７７の間隔を有する。ガイドレール３８の一部分がシーブ部間の隙間６２内に延在するように、第２の距離７７は、第１の距離７５より短くなっている。すなわち、シーブ部５４の外径７４の接線である平面７２は、隙間６２を横切り、ガイドレール３８のガイド部６６の少なくとも一部分は、この平面７２と交差している。
【００２０】
図６を参照すると、ガイドレール３８は、エレベータ用かご１２のローラアッセンブリ２８に係合している。ロープ３６は、ガイドレール３８およびローラアッセンブリ２８に対し相対的な位置において示されている。シーブ部５４の外径７４の接線である平面７２は、ロープ３６に対して示されるとともに、ガイドレール３８の一部分と交差する。ガイド部６６が延在することができる隙間６２を形成するようにアイドラシーブアッセンブリ３２を取りつけることにより、エレベータ用かご１２が利用できる空間が増加するとともに、昇降路１４内に貴重、かつ有益な空間が効果的に確保される。本発明により実現される昇降路１４内の増加した空間により、昇降路の有効利用を求める消費者の要求に対応することができる。
【００２１】
図５を参照すると、シーブアッセンブリ３２の拡大図が示されている。シーブ部５４は、軸５８を中心にして共通シャフト５０により支持されるとともに、各シーブ部５４内に取りつけられたベアリングアッセンブリ６０を備える。ベアリングアッセンブリ６０は、当業者に周知のいかなる形式であってもよい。本実施例において、２つのシーブ部５４は、対応するローピング３６とともにガイドレール３８の両方の側に示されている。シーブ部５４を支持するために分割したシャフトを用いることは、本発明の意図する範囲内にあるということを理解されたい。
【００２２】
図７を参照すると、隙間６２の一方の側に３個のアイドラシーブ部５４を備えるシーブアッセンブリの別形態が図示されている。ガイドレール３８の一方の側に設置されたシーブ部５４の数は、用途による仕様であり、特定用途の要件に応じて、３個，４個，５個あるいはそれらの組み合わせを用いることができる。
【００２３】
つり合いおもり２２は、エレベータ用かご１２に設置されたシーブアッセンブリ３２と同様のシーブアッセンブリ３４を備える。本実施例では、つり合いおもり２２用ガイドレール４０は、つり合いおもり２２に取りつけられたシーブアッセンブリ３４のシーブ部５４の間に延在しない。
【００２４】
前述の説明は、例示的なものであり、単に材料仕様書というわけではない。例示する方法で本発明の説明がなされた。用いた専門用語は、限定するためではなく、説明する言葉の性質にあることを意図することを理解されたい。上記の教示を踏まえた変更形態および変形形態が可能である。本発明の好ましい実施形態を開示しているが、特定の変更形態が、本発明の範囲内にあることを当業者であれば理解できるであろう。具体的に説明したようにというよりは、他の方法で、添付した特許請求の範囲の範囲内において本発明は実施されるということを理解されたい。そのため、本発明の正確な意図および内容を決定するために上記の特許請求の範囲を検討されたい。
【符号の説明】
【００２５】
１０  エレベータシステム
１２  エレベータ用かご
１４  昇降路
１６  巻上機
１８  終端ヒッチ
２０  終端ヒッチ
２２  つり合いおもり
２８  ローラアッセンブリ
３２，３４  シーブアッセンブリ
３６  ローピング
３８，４０  ガイドレール
４８  ベース部
５０  共通シャフト
５１，５３  分割シャフト
５２  支持部材
５４  ベルト係合部
５６  つり合いおもり用ブラケット
５８  共通軸
６０  ベアリングアッセンブリ
６２  隙間
６４  取付部
６６  ガイド部
７４  外径
７５  第１の距離
７７  第２の距離
【図１】
2010137995.tif 000003
【図２】
2010137995.tif 000004
【図３】
2010137995.tif 000005
【図４】
2010137995.tif 000006
【図５】
2010137995.tif 000007
【図６】
2010137995.tif 000008
【図７】
2010137995.tif 000009